(57)【要約】【課題】ドア枠にスムーズに取り付けることができる戸当り及び戸当り構造を提供する。【解決手段】戸当りは、胴部と第一脚部と第二脚部を備える。胴部は、ドア枠に戸当りが取り付けられた状態で、ドア枠の取付面から突出し、ドアが当たる。第一脚部は、胴部と一体をなす第一突出部を含み、ドア枠に形成された第一溝に嵌め込まれる。第二脚部は、胴部と一体をなす第二突出部を含み、第一溝と第一溝に沿ってドア枠に形成された第二溝とが並ぶ整列方向において第一脚部と隣り合い、第二溝に嵌め込まれる。第一脚部は、第一突出部の先端に、第一押圧部を備える。第一押圧部は、胴部と一体をなす第一突出部及び第二突出部を形成する部材より弾性限界の高い弾性材により形成され且つ整列方向において第一溝より幅広である。第二脚部は、第二突出部の先端に、第二押圧部を備える。第二押圧部は、弾性材により形成され且つ整列方向において第二溝より幅広である。【選択図】図３
2015028263.tif 000002
【特許請求の範囲】
【請求項１】
ドアによって開閉される開口に設けられるドア枠に取り付けられる戸当りであって、
前記ドア枠に前記戸当りが取り付けられた状態で、前記ドア枠の取付面から突出し、前記ドアが当たる胴部と、
前記胴部と一体をなす第一突出部を含み、前記ドア枠に形成された第一溝に嵌め込まれる第一脚部と、
前記胴部と一体をなす第二突出部を含み、前記第一溝と前記第一溝に沿って前記ドア枠に形成された第二溝とが並ぶ整列方向において前記第一脚部と隣り合い、前記第二溝に嵌め込まれる第二脚部と、を備え、
前記第一脚部は、前記ドア枠に前記戸当りを取り付けた状態において前記第一溝の底面の側となる前記第一突出部の先端に、前記胴部と一体をなす前記第一突出部及び前記第二突出部を形成する部材より弾性限界の高い弾性材により形成され且つ前記整列方向において前記第一溝より幅広である第一押圧部を備え、
前記第二脚部は、前記ドア枠に前記戸当りを取り付けた状態において前記第二溝の底面の側となる前記第二突出部の先端に、前記弾性材により形成され且つ前記整列方向において前記第二溝より幅広である第二押圧部を備える、戸当り。
【請求項２】
前記胴部と前記第一突出部と前記第二突出部は、ポリ塩化ビニル又はＡＢＳ樹脂により形成され、
前記第一押圧部と前記第二押圧部は、ゴム又はエラストマーにより形成される、請求項１に記載の戸当り。
【請求項３】
ドアによって開閉される開口に設けられるドア枠に戸当りを取り付けた戸当り構造であって、
前記ドア枠は、
第一溝と、
前記第一溝に沿って形成された第二溝と、を備え、
前記戸当りは、
前記ドア枠に前記戸当りが取り付けられた状態で、前記ドア枠の取付面から突出し、前記ドアが当たる胴部と、
前記胴部と一体をなす第一突出部を含み、前記第一溝に嵌め込まれる第一脚部と、
前記胴部と一体をなす第二突出部を含み、前記第一溝と前記第二溝とが並ぶ整列方向において前記第一脚部と隣り合い、前記第二溝に嵌め込まれる第二脚部と、を備え、
前記第一脚部は、前記ドア枠に前記戸当りを取り付けた状態において前記第一溝の底面の側となる前記第一突出部の先端に、前記胴部と一体をなす前記第一突出部及び前記第二突出部を形成する部材より弾性限界の高い弾性材により形成され且つ前記整列方向において前記第一溝より幅広である第一押圧部を備え、
前記第二脚部は、前記ドア枠に前記戸当りを取り付けた状態において前記第二溝の底面の側となる前記第二突出部の先端に、前記弾性材により形成され且つ前記整列方向において前記第二溝より幅広である第二押圧部を備え、
前記第一押圧部は、前記ドア枠に前記戸当りを取り付けた状態において前記第一溝内で前記整列方向に圧縮され、
前記第二押圧部は、前記ドア枠に前記戸当りを取り付けた状態において前記第二溝内で前記整列方向に圧縮される、戸当り構造。
【発明の詳細な説明】
【技術分野】
【０００１】
本発明は、ドアによって開閉される開口に設けられるドア枠に取り付けられる戸当りと、戸当り構造に関する。
【背景技術】
【０００２】
戸当りに関する技術が提案されている。例えば、特許文献１には、戸当り構造が開示されている。この戸当り構造では、ドアを取付ける枠体の縦桟に所定の間隔をおいて２本の嵌合溝が平行に設けられる。嵌合溝には概略コ形断面を成す戸当り部の２本の脚が嵌めて取り付けられる。両脚の両側面には凹凸部が形成される。この脚の片側面又は両側面の少なくとも凸部は、軟質樹脂にて成形される。
【先行技術文献】
【特許文献】
【０００３】
【特許文献１】特開２００８−２０２３３０号公報
【発明の概要】
【発明が解決しようとする課題】
【０００４】
ドアを閉めた場合のドア受けとして、ドア枠に戸当りを取り付ける場合がある。ドア枠には、第一溝と第二溝が形成され、戸当りには、第一脚部と第二脚部が形成される場合がある。ドア枠において、第一溝と第二溝は、所定の間隔で互いに沿った状態で形成される。戸当りにおいて、第一脚部は、第一溝に対応して形成され、第二脚部は、第二溝に対応して形成される。第一溝には第一脚部が嵌め込まれ、第二溝には第二脚部が嵌め込まれる。このような嵌め込みを伴う、ドア枠への戸当りの取り付けは、例えば、住宅等の建築現場において作業者によって行われる。そこで、発明者は、ドア枠への取付作業を効率よく行える戸当りと戸当り構造について検討を行った。
【０００５】
本発明は、ドア枠にスムーズに取り付けることができる戸当り及び戸当り構造を提供することを目的とする。
【課題を解決するための手段】
【０００６】
本発明の一側面は、ドアによって開閉される開口に設けられるドア枠に取り付けられる戸当りであって、前記ドア枠に前記戸当りが取り付けられた状態で、前記ドア枠の取付面から突出し、前記ドアが当たる胴部と、前記胴部と一体をなす第一突出部を含み、前記ドア枠に形成された第一溝に嵌め込まれる第一脚部と、前記胴部と一体をなす第二突出部を含み、前記第一溝と前記第一溝に沿って前記ドア枠に形成された第二溝とが並ぶ整列方向において前記第一脚部と隣り合い、前記第二溝に嵌め込まれる第二脚部と、を備え、前記第一脚部は、前記ドア枠に前記戸当りを取り付けた状態において前記第一溝の底面の側となる前記第一突出部の先端に、前記胴部と一体をなす前記第一突出部及び前記第二突出部を形成する部材より弾性限界の高い弾性材により形成され且つ前記整列方向において前記第一溝より幅広である第一押圧部を備え、前記第二脚部は、前記ドア枠に前記戸当りを取り付けた状態において前記第二溝の底面の側となる前記第二突出部の先端に、前記弾性材により形成され且つ前記整列方向において前記第二溝より幅広である第二押圧部を備える、戸当りである。
【０００７】
これによれば、第一溝に第一脚部を嵌め込むことで圧縮される第一押圧部からの押圧力と、第二溝に第二脚部を嵌め込むことで圧縮される第二押圧部からの押圧力により、ドア枠に戸当りを取り付けることができる。第一突出部の先端に第一押圧部を設けることで、第一突出部の先端面が第一押圧部によって覆われ、第二突出部の先端に第二押圧部を設けることで、第二突出部の先端面が第二押圧部によって覆われる。ドア枠に戸当りを取り付ける際、第一突出部の先端で第一押圧部を第一溝の底面の側に押し込み、第二突出部の先端で第二押圧部を第二溝の底面の側に押し込むことができる。
【０００８】
この戸当りにおいて、前記胴部と前記第一突出部と前記第二突出部は、ポリ塩化ビニル又はＡＢＳ樹脂により形成され、前記第一押圧部と前記第二押圧部は、ゴム又はエラストマーにより形成される、ようにしてもよい。これによれば、第一押圧部と第二押圧部を形成するゴム又はエラストマーの圧縮変形に伴い、第一溝と第二溝に対して押圧力を作用させることができる。
【０００９】
本発明の他の側面は、ドアによって開閉される開口に設けられるドア枠に戸当りを取り付けた戸当り構造であって、前記ドア枠は、第一溝と、前記第一溝に沿って形成された第二溝と、を備え、前記戸当りは、前記ドア枠に前記戸当りが取り付けられた状態で、前記ドア枠の取付面から突出し、前記ドアが当たる胴部と、前記胴部と一体をなす第一突出部を含み、前記第一溝に嵌め込まれる第一脚部と、前記胴部と一体をなす第二突出部を含み、前記第一溝と前記第二溝とが並ぶ整列方向において前記第一脚部と隣り合い、前記第二溝に嵌め込まれる第二脚部と、を備え、前記第一脚部は、前記ドア枠に前記戸当りを取り付けた状態において前記第一溝の底面の側となる前記第一突出部の先端に、前記胴部と一体をなす前記第一突出部及び前記第二突出部を形成する部材より弾性限界の高い弾性材により形成され且つ前記整列方向において前記第一溝より幅広である第一押圧部を備え、前記第二脚部は、前記ドア枠に前記戸当りを取り付けた状態において前記第二溝の底面の側となる前記第二突出部の先端に、前記弾性材により形成され且つ前記整列方向において前記第二溝より幅広である第二押圧部を備え、前記第一押圧部は、前記ドア枠に前記戸当りを取り付けた状態において前記第一溝内で前記整列方向に圧縮され、前記第二押圧部は、前記ドア枠に前記戸当りを取り付けた状態において前記第二溝内で前記整列方向に圧縮される、戸当り構造である。
【００１０】
これによれば、第一溝に第一脚部を嵌め込むことで圧縮される第一押圧部からの押圧力と、第二溝に第二脚部を嵌め込むことで圧縮される第二押圧部からの押圧力により、ドア枠に戸当りを取り付けた戸当り構造とすることができる。
【発明の効果】
【００１１】
本発明によれば、ドア枠にスムーズに取り付けることができる戸当り及び戸当り構造を得ることができる。
【図面の簡単な説明】
【００１２】
【図１】開き戸装置の概略構成の一例を一部を省略して示す斜視図である。
【図２】ドア枠の概略構成の一例を示す斜視図である。
【図３】戸当りの概略構成の一例を一部を省略して示す斜視図である。
【図４】取付方法を説明する平面図である。
【図５】戸当りの概略構成の他の例を示す平面図である。
【発明を実施するための形態】
【００１３】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。他の構成を含むようにしてもよい。
【００１４】
＜開き戸装置＞
開き戸装置１０について、図１〜図３を参照して説明する。開き戸装置１０は、建物等の開口に設けられ、ドア１１の開閉により、開口を開放状態及び閉鎖状態とする。開き戸装置１０は、ドア１１と、ドア枠２０と、戸当り３０を備える。ドア１１は、図１に示すドア枠２０に対向して設けられるドア枠（不図示）に、蝶番（不図示）を介して開閉自在（図１で「開閉方向」と記載された矢印参照）に取り付けられる。ドア１１及びこれを取り付ける構造等は、公知の開き戸装置が備えるドアと同様である。そのため、ドア１１に関するこの他の説明は、省略する。
【００１５】
ドア枠２０は、建物等の開口に沿って設けられる。ドア枠２０は、例えば、木材又は木質材料によって形成される。本実施形態では、ドア１１を回動させる蝶番が取り付けられるドア枠に対向して設けられるドア枠２０を例に説明する。ドア枠２０には、図１に示すように、第一溝２１と第二溝２５が隣り合った状態で並んで形成される。第一溝２１と第二溝２５は共に、図２に示すように、ドア枠２０の長手方向に形成される。図１に示す例に基づけば、ドア枠２０の長手方向は、鉛直方向となる。ドア枠２０において第二溝２５は、第一溝２１に沿って形成される。
【００１６】
本実施形態では、第一溝２１と第二溝２５が並ぶ方向を「整列方向」という（図１及び図２参照）。整列方向は、ドア枠２０の長手方向に直交する。ドア枠２０に形成された２本の溝のうち、整列方向のドア側の溝を「第一溝２１」とし、整列方向の反ドア側の溝を「第二溝２５」とする。第一溝２１を形成する互いに対向した２個の側面のうち、第二溝２５の側となる側面を「第一側面２２」といい、他方の側面を「第二側面２３」という（図２参照）。第二溝２５を形成する互いに対向した２個の側面のうち、第一溝２１の側となる側面を「第三側面２６」といい、他方の側面を「第四側面２７」という（図２参照）。
【００１７】
第一側面２２と第二側面２３と第三側面２６と第四側面２７は、互いに平行な面である。第一溝２１の幅及び深さは、幅Ｗ１及び深さＤに設定され、第二溝２５の幅及び深さは、幅Ｗ１及び深さＤに設定される（図２参照）。第一溝２１の幅は、第一側面２２と第二側面２３の整列方向における間隔に一致し、第二溝２５の幅は、第三側面２６と第四側面２７の整列方向における間隔に一致する。第一溝２１と第二溝２５は、平行な同一形状の溝である。第一溝２１と第二溝２５の深さ方向（図１及び図２参照）は、一致する。第一溝２１と第二溝２５の溝間ピッチは、幅Ｗ２に設定される。溝間ピッチは、基準線Ｌ１と基準線Ｌ２の整列方向における間隔である。基準線Ｌ１は、第一溝２１の整列方向における中心線である。基準線Ｌ２は、第二溝２５の整列方向における中心線である。
【００１８】
戸当り３０は、図１に示すように、ドア枠２０に取り付けられる。ドア枠２０に戸当り３０を取り付けることで、開き戸装置１０では、ドア枠２０と戸当り３０による戸当り構造が実現される。戸当り３０は、ドア１１を閉めた場合のドア受けとして機能し、ドア１１が閉められた場合におけるドア１１とドア枠２０の隙間の発生を抑制する。戸当り３０は、図１及び図３に示すように、胴部３１と、第一脚部４１と、第二脚部４４を備える。戸当り３０は、胴部３１と第一脚部４１と第二脚部４４が一体をなして長尺状に形成される。戸当り３０（後述する「第一押圧部４３」及び「第二押圧部４６」の部分を除く）は、例えば、樹脂の押出成形により形成される。戸当り３０を形成する樹脂としては、例えば、ポリ塩化ビニル又はＡＢＳ樹脂といった合成樹脂が挙げられる。
【００１９】
胴部３１は、戸当り３０がドア枠２０に取り付けられた図１に示す状態（以下、「取付状態」という）において、取付面Ｓから深さ方向の突出側に突出する（図１参照）。ドア１１が閉められた場合、ドア１１は、整列方向のドア側で胴部３１に当たる。胴部３１は、図３に示すように、第一側壁部３２と、第二側壁部３３と、連結壁部３４と、第一基部３５と、第二基部３６によって形成される。第一側壁部３２は、整列方向のドア側に設けられる壁部である。第二側壁部３３は、整列方向の反ドア側に設けられる壁部である。第一側壁部３２と第二側壁部３３は、整列方向に対向する。連結壁部３４は、整列方向に沿って設けられ、第一側壁部３２の第一端部と第二側壁部３３の第一端部を連結する壁部である。胴部３１において、第一側壁部３２と連結壁部３４と第二側壁部３３は、胴部３１を平面視した状態でコの字状に配置される。
【００２０】
第一基部３５は、第一側壁部３２の第二端部に繋がり、整列方向を基準線（中心線）Ｌ３の側に延在して設けられる。第一側壁部３２の第二端部は、連結壁部３４に繋がる第一側壁部３２の第一端部とは反対側の端部である。第二基部３６は、第二側壁部３３の第二端部に繋がり、整列方向を基準線Ｌ３の側に延在して設けられる。第二側壁部３３の第二端部は、連結壁部３４に繋がる第二側壁部３３の第一端部とは反対側の端部である。胴部３１は、取付状態において、整列方向のドア側となる第一基部３５の部分で第一溝２１の溝縁領域Ｒ１に接し、整列方向の反ドア側となる第二基部３６の部分で第二溝２５の溝縁領域Ｒ２に接する（後述する図４参照）。溝縁領域Ｒ１は、ドア枠２０の取付面Ｓのうち、第二側面２３の側における第一溝２１の縁部である。溝縁領域Ｒ２は、ドア枠２０の取付面Ｓのうち、第四側面２７の側における第二溝２５の縁部である。
【００２１】
第一脚部４１は、整列方向のドア側で第一基部３５から延びる戸当り３０の脚部である（図１及び図３参照）。第一脚部４１は、第一溝２１に嵌め込まれる。第一脚部４１は、図３に示すように、第一突出部４２と、第一押圧部４３を備える。第一突出部４２は、第一基部３５と連続し、胴部３１と一体をなす。第一押圧部４３は、第一突出部４２の先端に設けられる。第一押圧部４３は、胴部３１等と共に押出成形により形成される第一突出部４２に一体的に形成され、第一突出部４２の先端面を覆う（図３参照）。
【００２２】
第一押圧部４３の整列方向における幅は、長手方向に一定とされ、第一溝２１の幅Ｗ１より幅広の幅Ｗ３に設定される。第一押圧部４３は、取付状態において、第一側面２２に接する領域が整列方向に弧状をなした形状とされ、第二側面２３に接する領域が整列方向に弧状をなした形状とされる（後述する図４参照）。例えば、第一押圧部４３の外周は、平面視した形状が円弧状とされる。この場合、第一押圧部４３の外周は、同じ曲率とされる。
【００２３】
第二脚部４４は、整列方向のドア側で第二基部３６から延びる戸当り３０の脚部である（図１及び図３参照）。第二脚部４４は、整列方向において第一脚部４１と隣り合った状態で設けられ、第二溝２５に嵌め込まれる。第二脚部４４は、図３に示すように、第二突出部４５と、第二押圧部４６を備える。第二突出部４５は、第二基部３６と連続し、胴部３１と一体をなす。第二押圧部４６は、第二突出部４５の先端に設けられる。第二押圧部４６は、胴部３１等と共に押出成形により形成される第二突出部４５に一体的に形成され、第二突出部４５の先端面を覆う（図３参照）。
【００２４】
第二押圧部４６の整列方向における幅は、長手方向に一定とされ、第二溝２５の幅Ｗ１より幅広の幅Ｗ３に設定される。第二押圧部４６は、取付状態において、第三側面２６に接する領域が整列方向に弧状をなした形状とされ、第四側面２７に接する領域が整列方向に弧状をなした形状とされる（後述する図４参照）。例えば、第二押圧部４６の外周は、平面視した形状が円弧状とされる。この場合、第二押圧部４６の外周は、同じ曲率とされる。第一押圧部４３と第二押圧部４６は、同一の形状とされる。
【００２５】
第一押圧部４３と第二押圧部４６は、一体をなす胴部３１と第一突出部４２と第二突出部４５を形成する樹脂部材より弾性限界の高い（硬度の低い）弾性材により形成される。例えば、第一押圧部４３と第二押圧部４６は、ゴム又はエラストマーにより形成される。第一押圧部４３と第二押圧部４６は、同一の弾性材により形成される。第一押圧部４３と第二押圧部４６を形成する前述の弾性材は、ドア枠２０を形成する材料と比較しても低硬度で変形し易い特性を有する。
【００２６】
第一脚部４１と第二脚部４４の脚部間ピッチは、幅Ｗ４に設定される。脚部間ピッチは、基準線Ｌ４と基準線Ｌ５の整列方向における間隔である。基準線Ｌ４は、第一脚部４１の整列方向における中心線である。基準線Ｌ５は、第二脚部４４の整列方向における中心線である。戸当り３０における脚部間ピッチとしての幅Ｗ４は、溝間ピッチとしての幅Ｗ２に一致するように設定される。
【００２７】
取付状態を基準としたとき、第一脚部４１が第一基部３５から延びる方向と、第二脚部４４が第二基部３６から延びる方向は、深さ方向に一致する。第一脚部４１の深さ方向の寸法と第二脚部４４の深さ方向の寸法は、長さＭに設定される（図３参照）。第一脚部４１の深さ方向の寸法は、第一基部３５から第一脚部４１（第一押圧部４３）の先端までの寸法である。第二脚部４４の深さ方向の寸法は、第一基部３５から第二脚部４４（第二押圧部４６）の先端までの寸法である。長さＭと第一溝２１及び第二溝２５の深さＤは、「長さＭ＜深さＤ」の関係に設定される。取付状態では、第一脚部４１の先端は、所定の隙間Ｇを隔てて第一底面２４に対向し、第二脚部４４の先端は、所定の隙間Ｇを隔てて第二底面２８に対向する（図４参照）。
【００２８】
本実施形態では、第一脚部４１と第二脚部４４は、基準線Ｌ３を基準として線対称の形状を有する（図３参照）。
【００２９】
＜取付方法＞
ドア枠２０への戸当り３０の取り付けに関する取付方法について、図４を参照して説明する。取付方法は、例えば、建築現場等で作業者によって行われる。本実施形態は、作業者によって行われる場合を例に説明する。取付方法は、嵌込工程を含む。嵌込工程は、第一脚部４１を第一溝２１に嵌め込み、第二脚部４４を第二溝２５に嵌め込む工程である。取付方法は、嵌込工程の終了に伴い終了する。
【００３０】
嵌込工程の開始に際し、作業者は、第一溝２１の開口部に第一押圧部４３を合わせ、第二溝２５の開口部に第二押圧部４６を合わせる（図４上段参照）。その後、作業者は、戸当り３０を第一底面２４と第二底面２８の側に押圧する（図４上段で「押圧」と記載された矢印参照）。この押圧の開始に伴い、戸当り３０は、深さ方向の底側に移動する。戸当り３０の移動途中、幅Ｗ３の第一押圧部４３は、第一側面２２と第二側面２３の間で整列方向に圧縮され、第一溝２１の幅Ｗ１へと変形する。同じく、幅Ｗ３の第二押圧部４６は、第三側面２６と第四側面２７の間で整列方向に圧縮され、第二溝２５の幅Ｗ１へと変形する。押圧は、第一基部３５と第二基部３６が取付面Ｓ（溝縁領域Ｒ１，Ｒ２）に接するまで継続され、図５下段に示すように、ドア枠２０と戸当り３０が取付状態となったタイミングで押圧を終了する。これに伴い、嵌込工程は、終了する。
【００３１】
取付状態では、第一基部３５と第二基部３６は、取付面Ｓに接する。第一押圧部４３は、整列方向の両側において第一側面２２と第二側面２３にそれぞれ密着した状態となる。第二押圧部４６は、整列方向の両側において第三側面２６と第四側面２７にそれぞれ密着した状態となる。第一脚部４１（第一押圧部４３）の先端と第一溝２１の第一底面２４の間には、所定の隙間Ｇが生じる。第二脚部４４（第二押圧部４６）の先端と第二溝２５の第二底面２８の間にも、第一脚部４１の側と同じ所定の隙間Ｇが生じる。
【００３２】
＜本実施形態の効果＞
本実施形態によれば、次のような効果を得ることができる。
【００３３】
（１）第一脚部４１の先端に第一押圧部４３を設け、第二脚部４４の先端に第二押圧部４６を設けた戸当り３０とした（図１、図３及び図４参照）。第一押圧部４３と第二押圧部４６を、例えば、ゴム又はエラストマーといった、胴部３１と第一突出部４２と第二突出部４５を形成する樹脂部材（例えば、ポリ塩化ビニル又はＡＢＳ樹脂）より弾性限界の高い弾性材により形成することとした。そのため、取付方法の嵌込工程において、第一押圧部４３を第一側面２２と第二側面２３の間で整列方向に圧縮し、第二押圧部４６を第三側面２６と第四側面２７の間で整列方向に圧縮することができる。第一溝２１内で圧縮された第一押圧部４３からの押圧力と、第二溝２５内で圧縮された第二押圧部４６からの押圧力により、ドア枠２０に戸当り３０を取り付けることができる。
【００３４】
第一脚部４１において、第一押圧部４３を第一突出部４２の先端に設け、これにより第一突出部４２の先端面を覆うこととした（図３参照）。第二脚部４４において、第二押圧部４６を第二突出部４５の先端に設け、これにより第二突出部４５の先端面を覆うこととした（図３参照）。そのため、取付方法の嵌込工程において、戸当り３０が深さ方向の底側に移動する際、第一突出部４２の先端面で第一押圧部４３を深さ方向の底側に押し込み、第二突出部４５の先端面で第二押圧部４６を深さ方向の底側に押し込むことができる。ドア枠２０に戸当り３０をスムーズに取り付けることができる。
【００３５】
（２）第一押圧部４３と第二押圧部４６を、第一溝２１と第二溝２５の幅Ｗ１より幅広で一定の幅Ｗ３にそれぞれ設定し、更に、第一押圧部４３を、取付状態において第一側面２２と第二側面２３のそれぞれに接する各領域が整列方向に弧状をなした形状とし、第二押圧部４６を、取付状態において第三側面２６と第四側面２７のそれぞれに接する各領域が整列方向に弧状をなした形状とした（図３及び図４上段参照）。そのため、取付方法の嵌込工程において、第一押圧部４３と第二押圧部４６を好適に圧縮させることができる。第一溝２１への第一脚部４１の嵌め込みと、第二溝２５への第二脚部４４の嵌め込みを好適に行うことができる。
【００３６】
＜変形例＞
本実施形態は、次のようにすることもできる。以下の構成によっても、上記同様の効果を得ることができる。
【００３７】
（１）上記では、ドア枠２０において、整列方向のドア側に形成された溝を「第一溝２１」とし、整列方向の反ドア側に形成された溝を「第二溝２５」とした。そして、取付状態を基準として、整列方向のドア側で、第一側壁部３２と繋がった第一基部３５から延びる戸当り３０の脚部を「第一脚部４１」とし、整列方向の反ドア側で、第二側壁部３３と繋がった第二基部３６から延びる戸当り３０の脚部を「第二脚部４４」とした。
【００３８】
本実施形態は、整列方向における「ドア側」と「反ドア側」を上記とは反対とした場合についても、上記同様、採用することができる。この場合、ドア枠における２本の溝のうち、整列方向の反ドア側に形成された溝が「第一溝」となり、整列方向のドア側に形成された溝が「第二溝」となる。第一溝の第一側面及び第二側面と、第二溝の第三側面及び第四側面は、上記同様に定義される。即ち、第一溝を形成する互いに対向した２個の側面のうち、第二溝の側となる側面が「第一側面」となり、他方の側面が「第二側面」となる。第二溝を形成する互いに対向した２個の側面のうち、第一溝の側となる側面が「第三側面」となり、他方の側面が「第四側面」となる。戸当りの胴部を形成する２個の側壁部のうち、整列方向の反ドア側に設けられる壁部が「第一側壁部」となり、整列方向のドア側に設けられる壁部が「第二側壁部」となる。戸当りに形成される２本の脚部のうち、整列方向の反ドア側で第一基部から延びる戸当りの脚部が「第一脚部」となり、整列方向のドア側で第二基部から延びる戸当りの脚部が「第二脚部」となる。取付方法も、上述したように行われる。整列方向の「ドア側」と「反ドア側」を上記とは反対とした場合におけるこの他の説明は、省略する。
【００３９】
（２）上記では、取付状態において第一側面２２と第二側面２３にそれぞれ接する各領域が整列方向に弧状をなす第一押圧部４３を先端に設けた第一脚部４１と、取付状態において第三側面２６と第四側面２７にそれぞれ接する各領域が整列方向に弧状をなす第二押圧部４６を先端に設けた第二脚部４４を備える戸当り３０を例に説明した（図３及び図４参照）。戸当り３０において、第一押圧部４３と第二押圧部４６は、例えば、図５に示すような形状としてもよい。図５では、図３等に示す戸当り３０との対応を明らかにするため、共通する各部に対して図３等で用いた符号をそのまま付している。図５に示す第一押圧部４３では、取付状態において、第一側面２２に接する領域が第一側面２２に沿った平面とされ、第二側面２３に接する領域が第二側面２３に沿った平面とされる。図５に示す第二押圧部４６では、取付状態において、第三側面２６に接する領域が第三側面２６に沿った平面とされ、第四側面２７に接する領域が第四側面２７に沿った平面とされる。図５に示す戸当り３０においても、第一押圧部４３と第二押圧部４６の幅は、上記同様、第一溝２１と第二溝２５の幅Ｗ１より幅広で一定の幅Ｗ３に設定される。
【００４０】
（３）開き戸装置１０において、戸当り３０は、図１に示すドア枠２０とは異なる位置に設けられるドア枠に取り付けるようにしてもよい。図１に示すドア枠２０と蝶番を介してドア１１が取り付けられるドア枠の上側で、例えば、水平歩行に設けられ、これらドア枠を繋ぐドア枠（不図示）に取り付けるようにしてもよい。更に、蝶番を介してドア１１が取り付けられるドア枠に取り付けるようにしてもよい。各所のドア枠は、上記のドア枠２０と同様に構成される。各所のドア枠に対する戸当り３０の取り付けは、上記同様に行われる。そのため、これに関する説明は、省略する。
【００４１】
（４）戸当り３０は、ドア１１が当たる胴部３１の側壁部（整列方向のドア側の側壁部  図３に基づけば、第一側壁部３２）に緩衝片を設けるようにしてもよい。緩衝片は、ゴム又は軟質樹脂（例えば、軟質ポリ塩化ビニル樹脂又はエラストマー）等により形成される。胴部３１は、緩衝片を介してドア１１に当たる。緩衝片によれば、ドア１１との衝突を和らげることができる。緩衝片は、公知の戸当りにおいても採用されている構成である。そのため、緩衝片に関するこの他の説明は、省略する。
【００４２】
（５）ドア枠２０への戸当り３０の取り付けに、接着剤等を用いるようにしてもよい。接着剤は、第一溝２１と第二溝２５に充填される。第一脚部４１と第二脚部４４は、接着剤が充填された第一溝２１と第二溝２５にそれぞれ嵌め込まれる。この場合、取付方法は、充填工程を含む。充填工程は、例えば、嵌込工程に先立ち行われる。
【符号の説明】
【００４３】
１０  開き戸装置
１１  ドア
２０  ドア枠
２１  第一溝
２２  第一側面
２３  第二側面
２４  第一底面
２５  第二溝
２６  第三側面
２７  第四側面
２８  第二底面
３０  戸当り
３１  胴部
３２  第一側壁部
３３  第二側壁部
３４  連結壁部
３５  第一基部
３６  第二基部
４１  第一脚部
４２  第一突出部
４３  第一押圧部
４４  第二脚部
４５  第二突出部
４６  第二押圧部
Ｄ  深さ
Ｇ  隙間
Ｌ１，Ｌ２，Ｌ３，Ｌ４，Ｌ５  基準線
Ｍ  長さ
Ｒ１，Ｒ２  溝縁領域
Ｓ  取付面
Ｗ１  幅
Ｗ２  溝間ピッチ
Ｗ３  幅
Ｗ４  脚部間ピッチ
【図１】
2015028263.tif 000003
【図２】
2015028263.tif 000004
【図３】
2015028263.tif 000005
【図４】
2015028263.tif 000006
【図５】
2015028263.tif 000007